(57)【要約】      （修正有）【課題】ベースプレートに対してスライドプレートを二方向にスライド可能としたスライド機構に関し、異なる二方向に対するスライド動作を安定して行う。【解決手段】スライドプレート２０がベースプレート４０に対して閉位置と第１の開位置との間でスライドすると共に、開位置と反対側に位置する第２の開位置との間でもスライドするよう構成されたスライド機構であって、Ｘ１，Ｘ２方向に往復動可能な構成でスライドプレート２０に取り付けられた第１及び第２のプランジャー５０Ａ，５０Ｂと、各プランジャー５０Ａ，５０Ｂを互いに広がる方向に向け移動付勢する第１及び第２のワイヤーばね７０Ａ，７０Ｂと、各プランジャー５０Ａ，５０Ｂとを有する。【選択図】図４
2011146923.tif 000002
【特許請求の範囲】
【請求項１】
スライドプレートがベースプレートに対して閉位置と第１の開位置との間でスライドすると共に、前記閉位置を中心として前記第１の開位置の反対側に位置する第２の開位置との間でもスライドするよう構成されたスライド機構であって、
前記スライドプレートのスライド方向と直行する方向に往復動可能な構成で前記スライドプレートに取り付けられた第１及び第２のプランジャーと、
前記第１及び第２のプランジャーを互いに広がる方向に向け移動付勢する第１及び第２のワイヤーばねと、
前記第１及び第２のプランジャーの外側縁部に形成されており、閉位置に対応する第１の谷部と、前記第１の開位置に対応する第２の谷部と、前記第２の開位置に対応する第３の谷部とが形成されたカム部と、
前記ベースプレートの両側部に設けられており、前記第１及び第２のプランジャーに形成された前記カム部と係合する第１及び第２のローラーと
を有することを特徴とするスライド機構。
【請求項２】
前記第１及び第２のプランジャーは、前記ワイヤーばねを覆うことにより前記ワイヤーばねに座屈が発生するのを抑制するカバー部が形成されてなることを特徴とする請求項１記載のスライド機構。
【請求項３】
前記スライドプレートに前記ベースプレーと摺接することにより、前記スライドプレートのスライドを案内するガイド部材を設けたことを特徴とする請求項１又は２記載のスライド機構。
【請求項４】
前記第１のプランジャーの外側縁部に形成されたカム部の形状と、前記第２のプランジャーの外側縁部に形成されたカム部の形状が、前記スライドプレートの中心線に対して対象な形状とされていることを特徴とする請求項１乃至３のいずれか一項に記載のスライド機構。
【発明の詳細な説明】
【技術分野】
【０００１】
本発明はスライド機構に係り、特にベースプレートに対してスライドプレートを二方向にスライド可能にしたスライド機構に関する。
【背景技術】
【０００２】
例えば、テンキー等が配設された第１の筐体に対して液晶表示装置等が配設された第２の筐体をスライド可能な構成とした携帯電話機が提供されている。この種の携帯電話機には、筐体のスライド動作を可能とするためにスライド機構が内設されている。この種のスライド機構としては、例えば特許文献１に開示された機構が知られている。
【０００３】
特許文献１に開示されたスライド機構は、第１の筐体と第２の筐体が重なった状態である閉位置を中心として、第１の筐体に対して第２の筐体を上方向及び下方向の二方向にスライド可能な構成としている。このように、第１の筐体に対して第２の筐体が二方向にスライド可能な構成とすることにより、携帯電話機の使用態様の多様化を図ることができる。
【先行技術文献】
【特許文献】
【０００４】
【特許文献１】特開２００９−００５０７６号公報
【発明の概要】
【発明が解決しようとする課題】
【０００５】
上記の特許部件１に開示されたスライド機構は、第１又は第２の筐体の内、いずれか一方の筐体にカム部を形成すると共に、他方の筐体にカム部に係合するカムローラ体を設け、このカムローラ体を弾性付勢手段を用いてカム部に押圧する構成としていた。カム部には三箇所の谷部が形成されており、この三箇所の谷部にカムローラ体が係合可能な構成とすることにより、第１の筐体に対して第２の筐体が異なる３つの位置で位置決めされる構成とされていた。
【０００６】
しかしながら、特許文献１に開示されたスライド機構では、カム部は一方の筐体の片側にのみ設けられており、従って弾性付勢手段により付勢されたカムローラ体も１方向からのみカム部と係合する。このため、弾性付勢手段による弾性力は常に一方向にのみ作用し、これにより第１の筐体と第２の筐体の間には偶力が作用することとなる。よって従来のスライド機構では、この偶力の作用により第１の筐体に対して第２の筐体が円滑にスライドできなくなるおそれがあるという問題点があった。
【０００７】
本発明は上記の点に鑑みてなされたものであり、異なる二方向に対するスライド動作を円滑かつ安定して行いうるスライド機構を提供することを目的とする。
【課題を解決するための手段】
【０００８】
上記の課題は、第１の観点からは、
スライドプレートがベースプレートに対して閉位置と第１の開位置との間でスライドすると共に、前記閉位置を中心として前記第１の開位置の反対側に位置する第２の開位置との間でもスライドするよう構成されたスライド機構であって、
前記スライドプレートのスライド方向と直行する方向に往復動可能な構成で前記スライドプレートに取り付けられた第１及び第２のプランジャーと、
前記第１及び第２のプランジャーを互いに広がる方向に向け移動付勢する第１及び第２のワイヤーばねと、
前記第１及び第２のプランジャーの外側縁部に形成されており、閉位置に対応する第１の谷部と、前記第１の開位置に対応する第２の谷部と、前記第２の開位置に対応する第３の谷部とが形成されたカム部と、
前記ベースプレートの両側部に設けられており、前記第１及び第２のプランジャーに形成された前記カム部と係合する第１及び第２のローラーとを有することを特徴とするスライド機構により解決することができる。
【０００９】
また上記発明において、前記第１及び第２のプランジャーは、前記ワイヤーばねを覆うことにより前記ワイヤーばねに座屈が発生するのを抑制するカバー部が形成されてなることが望ましい。
【００１０】
また上記発明において、前記スライドプレートに前記ベースプレーと摺接することにより、前記スライドプレートのスライドを案内するガイド部材を設けることが望ましい。
【００１１】
また、上記発明において、前記第１のプランジャーの外側縁部に形成されたカム部の形状と、前記第２のプランジャーの外側縁部に形成されたカム部の形状が、前記スライドプレートの中心線に対して対象な形状とすることが望ましい。
【発明の効果】
【００１２】
開示のスライド機構は、第１及び第２のプランジャーにより、スライドプレートはベースプレートに対してスライド方向に直行する方向の両側部においてスライド付勢されるため、安定したガタツキのないスライドを行うことが可能となる。
【図面の簡単な説明】
【００１３】
【図１】図１（Ａ）は本発明の一実施形態であるスライド機構の正面図、図１（Ｂ）は本発明の一実施形態であるスライド機構の背面図である。
【図２】図２は、本発明の一実施形態であるスライド機構を構成するスライドプレートの分解斜視図である。
【図３】図３は、本発明の一実施形態であるスライド機構を構成するベースプレートの分解斜視図である。
【図４】図４（Ａ）はスライドプレートが第１の開位置にある状態を示す斜視図、図４（Ｂ）はスライドプレートが閉位置にある状態を示す斜視図、図４（Ｃ）はスライドプレートが第２の開位置にある状態を示す斜視図である。
【図５】図５（Ａ）は第２筐体が第１の開位置にある状態を示す斜視図、図５（Ｂ）は第２筐体が閉位置にある状態を示す斜視図、図５（Ｃ）は第２筐体が第２の開位置にある状態を示す斜視図である。
【図６】図６は、スライド機構の動作を説明するための図である。
【発明を実施するための形態】
【００１４】
次に、本発明の実施の形態について図面と共に説明する。
【００１５】
図１乃至図３は本発明の一実施形態であるスライド機構１０を説明するための図であり、図４乃至図６はスライド機構１０の動作を説明するための図である。本実施形態に係るスライド機構１０は、図５に示されるような電子機器１に搭載される。尚、以下の説明において上方とは図中矢印Ｙ１方向をいい、下方とは図中矢印Ｙ２方向をいうものとする。
【００１６】
電子機器１は、第１筐体２と第２筐体３とを有している。図５（Ｂ）は第１筐体２と第２筐体３が重なり合った閉状態を示している（この時の第２筐体３の位置を閉位置という）。
【００１７】
これに対して図５（Ａ）は、スライド機構１０により第２筐体３が第１筐体２に対して上方向（図中矢印Ｙ１方向）にスライドした状態を示している。第２筐体３が上方向に移動することにより、第１筐体２の下部に設けられているキーボード４が外部に露出することになり、このキーボード４を用いた入力処理が可能となる。以下、スライド機構１０により第２筐体３が第１筐体２に対して上方向に移動した位置を第１の開位置というものとする。
【００１８】
また図５（Ｃ）は、スライド機構１０により第２筐体３が第１筐体２に対して下方向（図中矢印Ｙ２方向）にスライドした状態を示している。第２筐体３が下方向に移動することにより、第１筐体２の上部に設けられているカソールキー５及びファンクションキー６等が外部に露出することになり、この各キー５，６を用いた入力処理が可能となる。以下、スライド機構１０により第２筐体３が第１筐体２に対して下方向に移動した位置を第２の開位置というものとする。
【００１９】
上記のように、本実施形態に係るスライド機構１０を設けることにより、第２筐体３は第１筐体２に対して閉位置と第１の開位置との間でスライドすると共に、閉位置を中心として前記第１の開位置の反対側に位置する第２の開位置との間でもスライドする。これにより、電子機器１を異なる二つのモードにおいて使用することが可能となり、電子機器１の使用態様の多様化を図ることができる。
【００２０】
次に、電子機器１に搭載した際に上記のような機能を奏するスライド機構１０の構成について説明する。
【００２１】
スライド機構１０は、スライドプレート２０、ベースプレート４０、プランジャー５０Ａ，５０Ｂ、ワイヤーばね７０Ａ，７０Ｂ、及びガイド板８０Ａ，８０Ｂ等を有している。
【００２２】
先ず、図１及び図２を用いてスライドプレート２０について説明する。図１はスライド機構１０の正面図及び背面図であり、図２はスライドプレート２０の分解斜視図である。
【００２３】
スライドプレート２０は、図５に示す第２筐体３に固定されるものである。このスライドプレート２０は、スライドプレート本体２１、上部ばね固定孔２２Ａ，２２Ｂ、下部ばね固定孔２３Ａ，２３Ｂ、上部ストッパピン固定孔２４Ａ，２４Ｂ、下部ストッパピン固定孔２５Ａ，２５Ｂ、上部プランジャー装着孔２６Ａ，２６Ｂ、及び下部プランジャー装着孔２７Ａ，２７Ｂ、上部ガイド装着部２８Ａ，２８Ｂ、及び下部ガイド装着部２９Ａ，２９Ｂ等を有している。
【００２４】
スライドプレート本体２１は矩形状を有しており、その材質として本実施形態ではステンレス等の金属を用いている。しかしながら、スライドプレート２０の材質は金属に限定されるものではなく、硬質樹脂等の金属以外の材質により形成することも可能である。
【００２５】
このスライドプレート本体２１の両側には、後述するベースプレート４０とスライド可能に係合する側縁部３０Ａ，３０Ｂが形成されている。この側縁部３０Ａ，３０Ｂは、スライド方向（図中、矢印Ｙ１，Ｙ２方向をスライド方向という）に延在している。またスライドプレート２０の剛性を高めるため、スライドプレート本体２１の中央にはスライド方向に延在する凸部２１ａが形成されている。また凸部２１ａの背面側には、第１筐体２と第２筐体３の電気系統を繋ぐフレキシブル配線基板（ＦＰＣ）が配設される。
【００２６】
上部ばね固定孔２２Ａ，２２Ｂは、スライドプレート本体２１の上部で凸部２１ａの両側位置に形成されている。また、下部ばね固定孔２３Ａ，２３Ｂは、スライドプレート本体２１の下部で凸部２１ａの両側位置に形成されている。この各ばね固定孔２２Ａ，２２Ｂ，２３Ａ，２３Ｂには、ワイヤーばね７０Ａ，７０Ｂが取り付けられる。
【００２７】
ワイヤーばね７０Ａ，７０Ｂは、ばね材或いは鋼材等の弾性変形可能な金属ワイヤー材料により形成されている。各ワイヤーばね７０Ａ，７０Ｂは、上方向の端部が環状に折曲形成されることにより上部固定分７１Ａ，７１Ｂが形成されると共に、下方向の端部も環状に折曲形成されることにより下部固定分７２Ａ，７２Ｂが形成されている。
【００２８】
また、各ワイヤーばね７０Ａ，７０Ｂの上部固定分７１Ａ，７１Ｂと下部固定分７２Ａ，７２Ｂの中央位置には、スライドプレート本体２１に取り付けられた状態で側縁部３０Ａ，３０Ｂ側に向けて突出した山部７３Ａ，７３Ｂが形成されている。即ち、ワイヤーばね７０Ａの山部７３Ａは矢印Ｘ１方向に突出し、またワイヤーばね７０Ｂの山部７３Ｂは矢印Ｘ２方向に突出した山形状となるよう構成されている。
【００２９】
ワイヤーばね７０Ａ，７０Ｂをスライドプレート本体２１に固定するには、バネ固定ピン９２Ａを上部固定分７１Ａに挿通して上部ばね固定孔２２Ａに固着し、バネ固定ピン９２Ｂを上部固定分７１Ｂに挿通して上部ばね固定孔２２Ｂに固着する。また、バネ固定ピン９３Ａを下部固定分７２Ａに挿通して下部ばね固定孔２３Ａに固着し、バネ固定ピン９３Ｂを下部固定分７２Ｂに挿通して下部ばね固定孔２３Ｂに固着する。これにより、ワイヤーばね７０Ａ，７０Ｂはスライドプレート本体２１に固定される。
【００３０】
上部ストッパピン固定孔２４Ａ，２４Ｂは、スライドプレート本体２１の上部両側端部に形成されている。また、下部ストッパピン固定孔２５Ａ，２５Ｂは、スライドプレート本体２１の下部両側端部に形成されている。このストッパピン固定孔２４Ａ，２４Ｂ，２５Ａ，２５Ｂには、ストッパナット９４Ａ，９４Ｂ，９５Ａ，９５Ｂが取り付けられる。
【００３１】
ストッパナット９４Ａ，９４Ｂは、スライドプレート２０がベースプレート４０に対して上方（Ｙ１方向）への移動限界までスライドした際、スライドプレート２０と当接してそれ以上のスライドを規制する。同様に、ストッパナット９５Ａ，９５Ｂは、スライドプレート２０がベースプレート４０に対して下方（Ｙ２方向）への移動限界までスライドした際、スライドプレート２０と当接してそれ以上のスライドを規制する。
【００３２】
上部及び下部プランジャー装着孔２６Ａ，２６Ｂ，２７Ａ，２７Ｂ及び上部及び下部ガイド装着部２８Ａ，２８Ｂ，２９Ａ，２９Ｂは、プランジャー５０Ａ，５０Ｂをスライドプレート２０に装着するために設けられている。ここで、プランジャー５０Ａ，５０Ｂについて説明する。
【００３３】
プランジャー５０Ａ，５０Ｂは樹脂成型品であり、互いに対称な構成とされている。尚、プランジャー５０Ａ，５０Ｂを金属材により形成することも可能である。
【００３４】
このプランジャー５０Ａ，５０Ｂは、本体部５１Ａ，５１Ｂの上部に上部長孔５２Ａ，５２Ｂが形成されると共に、下部に下部長孔５３Ａ，５３Ｂが形成されている。この各長孔５２Ａ，５２Ｂ，５３Ａ，５３Ｂは、Ｘ１，Ｘ２方向に長い長孔とされている。また、プランジャー５０Ａ，５０Ｂの各内側には、カバー部５４Ａ，５４Ｂが形成されている。このカバー部５４Ａ，５４Ｂは、本体部５１Ａ，５１Ｂから内側に鍔状に延出するよう構成されている。
【００３５】
更に、プランジャー５０Ａ，５０Ｂの外側縁部には、カム部が形成されている。このカム部は、前記した閉位置に対応する第１の谷部５５Ａ，５５Ｂと、前記した第１の開位置に対応する第２の谷部５６Ａ，５６Ｂと、前記した第２の開位置に対応する第３の谷部５７Ａ，５７Ｂとを有している。
【００３６】
また、第１の谷部５５Ａ，５５Ｂと第２の谷部５６Ａ，５６Ｂとの間には第１の山部５８Ａ，５８Ｂが形成され、第１の谷部５５Ａ，５５Ｂと第３の谷部５７Ａ，５７Ｂとの間には第２の山部５９Ａ，５９Ｂが形成されている。即ち、カム部は、下部から第２の谷部５６Ａ，５６Ｂ、第１の山部５８Ａ，５８Ｂ、第１の谷部５５Ａ，５５Ｂ、第２の山部５９Ａ，５９Ｂ、第３の谷部５７Ａ，５７Ｂの順で形成されている。
【００３７】
上記構成とされたプランジャー５０Ａ，５０Ｂをスライドプレート２０に取り付けるには、次の手順で行う。先ず、スライドプレート２０に形成されている上部ガイド装着部２８Ａ，２８Ｂにプランジャーガイド９０Ａ，９０Ｂを固定すると共に、下部ガイド装着部２９Ａ，２９Ｂにプランジャーガイド９１Ａ，９１Ｂを固定する。各プランジャーガイド９０Ａ，９０Ｂ，９１Ａ，９１Ｂは、摩擦係数が小さく耐久性の高い樹脂により形成されている。この各プランジャーガイド９０Ａ，９０Ｂ，９１Ａ，９１Ｂは、上部ガイド装着部２８Ａ，２８Ｂ及び下部ガイド装着部２９Ａ，２９Ｂに固定される。
【００３８】
プランジャー５０Ａ，５０Ｂをスライドプレート２０に取り付けるには、スライドプレート２０の表面に沿ってプランジャー５０Ａ，５０Ｂを各ガイド装着部２８Ａ，２８Ｂ，２９Ａ，２９Ｂに挿入させる。具体的には、プランジャー５０Ａは、スライドプレート本体２１に対向するよう配置された一対のプランジャーガイド９０Ａとプランジャーガイド９１Ａとの間に矢印Ｘ２方向に挿入される。またプランジャー５０Ａは、スライドプレート本体２１に対向するよう配置された一対のプランジャーガイド９０Ａとプランジャーガイド９１Ａとの間に矢印Ｘ１方向に挿入される。
【００３９】
上記のように取り付けられることにより、プランジャー５０Ａはプランジャーガイド９０Ａ，９１Ａにスライド方向とは直行する方向、即ち矢印Ｘ１，Ｘ２方向に往復動可能に保持される。同様に、プランジャー５０Ｂはプランジャーガイド９０Ｂ，９１Ｂにスライド方向とは直行する方向（Ｘ１，Ｘ２方向）に往復動可能に保持される。
【００４０】
また、プランジャー５０Ａ，５０Ｂが各プランジャーガイド９０Ａ，９０Ｂ，９１Ａ，９１Ｂに保持された状態で、各プランジャー５０Ａ，５０Ｂに形成された上部長孔５２Ａ，５２Ｂは上部プランジャー装着孔２６Ａ，２６Ｂに、また下部長孔５３Ａ，５３Ｂは下部プランジャー装着孔２７Ａ，２７Ｂに対向するよう構成されている。
【００４１】
そして、プランジャー固定ピン９６Ａを上部長孔５２Ａを挿通して上部プランジャー装着孔２６Ａに固着すると共に、プランジャー固定ピン９７Ａを下部長孔５３Ａを挿通して下部プランジャー装着孔２７Ａに固着することにより、プランジャー５０Ａはスライドプレート２０に取り付けられる。同様に、プランジャー固定ピン９６Ｂを上部長孔５２Ｂを挿通して上部プランジャー装着孔２６Ｂに固着すると共に、プランジャー固定ピン９７Ｂを下部長孔５３Ｂを挿通して下部プランジャー装着孔２７Ｂに固着することにより、プランジャー５０Ｂもスライドプレート２０に取り付けられる。
【００４２】
上記のようにスライドプレート２０に取り付けられたプランジャー５０Ａ，５０Ｂは、各長孔５２Ａ，５３Ａ，５２Ｂ，５３Ｂの長さ範囲にわたり、スライドプレート２０に対して矢印Ｘ１，Ｘ２方向に往復動可能な構成となる。
【００４３】
また、前記したワイヤーばね７０Ａ，７０Ｂは、プランジャー５０Ａ，５０Ｂをスライドプレート２０に装着する前に、予めスライドプレート２０に取り付けられている。そしてプランジャー５０Ａ，５０Ｂがスライドプレート２０に取り付けられた状態で、ワイヤーばね７０Ａ，７０Ｂの山部７３Ａ，７３Ｂは、プランジャー５０Ａ，５０Ｂの内側側縁６０Ａ，６０Ｂ（カム部が形成された側縁に対して反対側の側縁、図６（Ａ）参照）に当接する。
【００４４】
これにより、プランジャー５０Ａ，５０Ｂは、ワイヤーばね７０Ａ，７０Ｂにより互いに広がる方向に向け移動付勢される。即ち、プランジャー５０Ａはワイヤーばね７０Ａにより矢印Ｘ１方向に移動付勢され、プランジャー５０Ｂはワイヤーばね７０Ｂにより矢印Ｘ２方向に移動付勢される。
【００４５】
また、プランジャー５０Ａ，５０Ｂ及びワイヤーばね７０Ａ，７０Ｂがスライドプレート２０に装着された状態において、ワイヤーばね７０Ａ，７０Ｂの一部（主に山部７３Ａ，７３Ｂの近傍）はカバー部５４Ａ，５４Ｂに覆われた構成となる。よって、プランジャー５０Ａ，５０ＢがＸ１，Ｘ２方向に往復動しても、ワイヤーばね７０Ａ，７０Ｂはカバー部５４Ａ，５４Ｂとスライドプレート本体２１との間に挟まれた状態で弾性変形することとなり、よってワイヤーばね７０Ａ，７０Ｂに座屈が発生するのを抑制することができる。
【００４６】
ガイド板８０Ａ，８０Ｂは、後述するベースプレート４０の移動をガイドする機能を奏するものである。ガイド板８０Ａ，８０Ｂはスライド方向に長辺を有する長方形状を有している。このガイド板８０Ａ，８０Ｂは、プランジャー固定ピン９６Ａ，９６Ｂ，９７Ａ，９７Ｂに固定される。この各プランジャー固定ピン９６Ａ，９６Ｂ，９７Ａ，９７Ｂは、スライドプレート２０と対向する方向に突出したボスを有すると共に、これと反対側にも突出したボスを有している。ガイド板８０Ａ，８０Ｂは、この各プランジャー固定ピン９６Ａ，９６Ｂ，９７Ａ，９７Ｂの反対側に突出したボスに固定される。
【００４７】
具体的には、ガイド板８０Ａに形成された上部固定孔８２Ａにプランジャー固定ピン９６Ａを固着することにより、また下部固定孔８３Ａにプランジャー固定ピン９７Ａを固着することにより、ガイド板８０Ａはスライドプレート２０に固定される。同様に、ガイド板８０Ｂに形成された上部固定孔８２Ｂにプランジャー固定ピン９６Ｂを固着することにより、また下部固定孔８３Ｂにプランジャー固定ピン９７Ｂを固着することにより、ガイド板８０Ｂはスライドプレート２０に固定される。
【００４８】
各固定孔８２Ａ，８３Ａ，８２Ｂ，８３Ｂは長孔ではなく、よって前記した往復動するプランジャー５０Ａ，５０Ｂと異なり、ガイド板８０Ａ，８０Ｂはスライドプレート２０に固定される。また、ガイド板８０Ａ，８０Ｂの外側の側縁部８１Ａ，８１Ｂは、摩擦係数が小さくなるよう、また高い直線性を有するよう加工されている。
【００４９】
次に、ベースプレート４０について説明する。このベースプレート４０は、図５に示す電子機器１の第１筐体２に固定されるものである。
【００５０】
図３は、ベースプレート４０を示す分解斜視図である。ベースプレート４０はＸ１，Ｘ２方向に長辺を有する長方形状とされた金属板よりなるベースプレート本体４１と、このベースプレート本体４１の両側部を略Ｕ字状に折り曲げ形成した折曲部４２Ａ，４２Ｂとを有している。
【００５１】
上記のように折曲部４２Ａ，４２Ｂが形成されることにより、ベースプレート本体４１と折曲部４２Ａ，４２Ｂとの間にはスライドプレート２０が挿入されるスライドガイド装着部４４Ａ，４４Ｂが形成される。ベースプレート本体４１と折曲部４２Ａ，４２Ｂとの間との間でスライドプレート２０を直接保持することも可能であるが、本実施形態ではスライドガイド装着部４４Ａ，４４Ｂにスライドガイド１０５Ａ，１０５Ｂを装着し、このスライドガイド１０５Ａ，１０５Ｂを介してスライドプレート２０をベースプレート４０にスライド方向にスライド可能に保持する構成としている。
【００５２】
スライドガイド１０５Ａ，１０５Ｂは、摩擦係数が小さく耐久性の高い樹脂により形成されている。このスライドガイド１０５Ａ，１０５Ｂは、内側にスライド溝１０６Ａ，１０６Ｂが形成されると共に、外側に係止突起１０７Ａ，１０７Ｂが形成されている。
【００５３】
スライド溝１０６Ａ，１０６Ｂは、スライドプレート２０の側縁部３０Ａ，３０Ｂが円滑にかつガタツキがなくスライドできる溝幅に設定されている。また、係止突起１０７Ａ，１０７Ｂは、ベースプレート４０に形成された係止孔４６Ａ，４６Ｂに係止されるよう設定されている。よって、ベースプレート４０に対してスライドプレート２０がスライドしてもスライドガイド１０５Ａ，１０５Ｂがベースプレート４０から離脱するようなことはない。
【００５４】
また、折曲部４２Ａ，４２Ｂにはローラ１００Ａ，１００Ｂが取り付けられる。具体的には、折曲部４２Ａ，４２Ｂにはローラ取付け孔４３Ａ，４３Ｂが形成されており、このローラ取付け孔４３Ａ，４３Ｂにローラ固定ピン１０１Ａ，１０１Ｂを裏側から挿通し、表に突出した部分にローラ１００Ａ，１００Ｂを取り付ける。この際、ローラ１００Ａ，１００Ｂはローラ固定ピン１０１Ａ，１０１Ｂに回転可能な構成で取り付けられる。
【００５５】
尚、ベースプレート本体４１には装着孔４４Ａ，４４Ｂが形成されており、この装着孔４４Ａ，４４Ｂにはナット１０８Ａ，１０８Ｂが固着される。ナット１０８Ａ，１０８Ｂは、ベースプレート４０を電子機器１の第１筐体２に固定するのに用いられる。
【００５６】
上記構成とされたベースプレート４０にスライドプレート２０を装着するにはストッパナット９４Ａ，９４Ｂ，９５Ａ，９５Ｂを除き、プランジャー５０Ａ，５０Ｂ、ワイヤーばね７０Ａ，７０Ｂ、及びガイド板８０Ａ，８０Ｂ等が取り付けられたスライドプレート２０を、側縁部３０Ａ，３０Ｂとスライドガイド１０５Ａ，１０５Ｂと位置決めした上で、ベースプレート４０に装着する。これにより、ローラ１００Ａはプランジャー５０Ａのカム部（第１乃至第３の谷部５５Ａ，５６Ａ，５７Ａ、第１及び第２の山部５８Ａ，５９Ａ）と外側から係合し、ローラ１００Ｂはプランジャー５０Ｂのカム部（第１乃至第３の谷部５５Ｂ，５６Ｂ，５７Ｂ、第１及び第２の山部５８Ｂ，５９Ｂ）と外側から係合する。
【００５７】
上記のようにスライドプレート２０がベースプレート４０に装着されると、スライドプレート２０に形成された各ストッパピン固定孔２４Ａ，２４Ｂ，２５Ａ，２５Ｂにストッパナット９４Ａ，９４Ｂ，９５Ａ，９５Ｂが固着され、これによりスライド機構１０が完成する。
【００５８】
この完成状態において、ベースプレート４０の折曲部４２Ａ，４２Ｂの端部４７Ａ，４７Ｂは、ガイド板８０Ａ，８０Ｂに形成された側縁部８１Ａ，８１Ｂと摺接するよう構成されている。前記したように、ガイド板８０Ａ，８０Ｂはスライドプレート２０に固定されている。よって、ベースプレート４０に対してスライドプレート２０がスライド方向（Ｙ１，Ｙ２方向）に移動する際、スライドプレート２０はその両側の側縁部３０Ａ，３０Ｂをベースプレート４０のスライドガイド１０５Ａ，１０５Ｂにガイドされると共に、ガイド板８０Ａ，８０Ｂの側縁部８１Ａ，８１Ｂが端部４７Ａ，４７Ｂと摺接することによってもガイドされる。これにより、スライドプレート２０をベースプレート４０に対して安定した状態でスライドさせることが可能となる。
【００５９】
次に、上記構成とされたスライド機構１０の動作について説明する。
【００６０】
図４（Ａ）はスライドプレート２０が第１の開位置にある状態のスライド機構１０を示している。この図４（Ａ）に示す状態は、図５（Ａ）に対応するものである。また、図４（Ｂ）はスライドプレート２０が閉位置にある状態のスライド機構１０を示している。この図４（Ｂ）に示す状態は、図５（Ｂ）に対応するものである。更に、図４（Ｃ）はスライドプレート２０が第２の開位置にある状態のスライド機構１０を示している。この図４（Ｃ）に示す状態は、図５（Ｃ）に対応するものである。
【００６１】
スライド機構１０が図４（Ａ）に示す第１の開位置にあるとき、ベースプレート４０に設けられたローラ１００Ａ，１００Ｂは、プランジャー５０Ａ，５０Ｂの第２の谷部５６Ａ，５６Ｂに係合した状態となっている。前記のように、ワイヤーばね７０Ａはプランジャー５０ＡをＸ１方向に移動付勢し、ワイヤーばね７０Ｂはプランジャー５０ＢをＸ２方向に付勢している。即ち、ワイヤーばね７０Ａ，７０Ｂは、プランジャー５０Ａ，５０Ｂを離間する方向に移動付勢している。また、スライドプレート本体２１の下端部に設けられたストッパナット９５Ａ，９５Ｂは、折曲部４２Ａ，４２Ｂと当接している。
【００６２】
従って、ベースプレート４０はＹ２方向への移動が規制され、またローラ１００Ａ，１００Ｂは第２の谷部５６Ａ，５６Ｂとストッパナット９５Ａ，９５Ｂとの間に挟まれた状態となるため、スライドプレート２０は第１の開位置にガタツキが発生することなく安定した状態で係止される。従って、第２筐体３を第１の開位置に安定した状態で保持することができる（図５（Ａ）参照）。
【００６３】
また、スライド機構１０が図４（Ｂ）に示す閉位置にあるとき、ベースプレート４０に設けられたローラ１００Ａ，１００Ｂは、プランジャー５０Ａ，５０Ｂの第１の谷部５５Ａ，５５Ｂに係合した状態となっている。カム部の第１の谷部５５Ａ，５５Ｂの両側は第１の山部５８Ａ，５８Ｂ及び第２の山部５９Ａ，５９Ｂに向かう傾斜面となっており、また前記のようにワイヤーばね７０Ａ，７０Ｂはプランジャー５０Ａ，５０Ｂを離間させる方向に弾性力を付勢している。よって、ローラ１００Ａ，１００Ｂが閉位置より容易にＹ１，Ｙ２方向に移動するようなことはなく、スライドプレート２０は閉位置に安定した状態で係止される。従って、第２筐体３を閉位置に安定した状態で保持することができる（図５（Ｂ）参照）。
【００６４】
更に、スライド機構１０が図４（Ｃ）に示す第２の開位置にあるとき、ローラ１００Ａ，１００Ｂは、プランジャー５０Ａ，５０Ｂの第３の谷部５７Ａ，５７Ｂに係合した状態となっている。前記のように、各ワイヤーばね７０Ａ，７０Ｂはプランジャー５０Ａ，５０Ｂを離間する方向に移動付勢し、またスライドプレート本体２１の上端部に設けられたストッパナット９４Ａ，９４Ｂは折曲部４２Ａ，４２Ｂと当接している。
【００６５】
従って、ワイヤーばね７０Ａ，７０Ｂによりプランジャー５０Ａ，５０Ｂが互いに外側に向けて移動付勢されても、ベースプレート４０はＹ２方向への移動が規制される。また、ローラ１００Ａ，１００Ｂは第３の谷部５７Ａ，５７Ｂとストッパナット９４Ａ，９４Ｂとの間に挟まれた状態となっているため、スライドプレート２０は第２の開位置にガタツキが発生することなく安定した状態で係止される。従って、第２筐体３を第２の開位置に安定した状態で保持することができる（図５（Ｃ）参照）。
【００６６】
次に図６を用いて、スライドプレート２０が第１の開位置から閉位置を介して第２の開位置まで移動するときの、スライド機構１０を構成する各構成要素の動作について説明する。尚、図６では、説明及び図示の便宜上、カバー部５４Ａ，５４Ｂ及びガイド板８０Ａ，８０Ｂの図示は省略している。
【００６７】
図６（Ａ）は、スライドプレート２０が第１の開位置に位置した状態を示している。この時、ワイヤーばね７０Ａ，７０Ｂによりプランジャー５０Ａ，５０Ｂが互いに広がる方向に付勢されると共に、ベースプレート４０のローラ１００Ａ，１００Ｂがカム部の傾斜面（第１の山部５８Ａ，５８Ｂと第２の谷部５６Ａ，５６Ｂとの間の傾斜面）に係合しているため、スライドプレート２０はベースプレート４０に対してＹ１方向に付勢されている。しかしながら、折曲部４２Ａ，４２Ｂがスライドプレート２０に設けられたストッパナット９５Ａ，９５Ｂに当接することにより、スライドプレート２０のそれ以上のＹ１方向への移動が規制されている。
【００６８】
ここで、この第１の開位置にあるスライドプレート２０を、図中矢印Ｙ２方向に移動操作した場合のスライド機構１０の動作を説明する。スライドプレート２０をＹ２方向に移動させることにより、相対的にローラ１００Ａ，１００Ｂは第２の谷部５６Ａ，５６Ｂから第１の山部５８Ａ，５８Ｂに向け移動する。この際、プランジャー５０ＡはＸ２方向にスライドし、プランジャー５０ＢはＸ１方向にスライドする。即ち、プランジャー５０Ａ，５０Ｂは近寄る方向にスライドする。
【００６９】
しかしながら、ローラ１００Ａ，１００Ｂが第１の山部５８Ａ，５８Ｂに至る前にＹ２方向に移動操作力を解除すると、ワイヤーばね７０Ａ，７０Ｂの弾性力によりプランジャー５０Ａ，５０Ｂは互いに外側に向けてスライドし、よってスライドプレート２０は第１の開位置に戻ってしまう。
【００７０】
図６（Ｂ）は、スライドプレート２０をＹ２方向に移動操作することにより、相対的にローラ１００Ａ，１００Ｂが第１の山部５８Ａ，５８Ｂ（頂点）まで移動した状態を示している。ローラ１００Ａ，１００Ｂがこの第１の山部５８Ａ，５８Ｂを越えてＹ１方向に移動すると、ワイヤーばね７０Ａ，７０Ｂの弾性復元力によりプランジャー５０Ａ，５０Ｂは互いに離間する方向へスライドする。これにより、ローラ１００Ａ，１００Ｂも相対的に第１の谷部５５Ａ，５５Ｂに向け移動し、これに伴いスライドプレート２０はベースプレート４０に対してＹ２方向に移動する。
【００７１】
図６（Ｃ）は、ローラ１００Ａ，１００Ｂが第１の谷部５５Ａ，５５Ｂまで相対的に移動することにより、スライドプレート２０が閉位置まで移動した状態を示している。前記のように、第１の谷部５５Ａ，５５Ｂの両側は第１の山部５８Ａ，５８Ｂ及び第２の山部５９Ａ，５９Ｂに向かう傾斜面となっており、またワイヤーばね７０Ａ，７０Ｂによりプランジャー５０Ａ，５０Ｂは離間する方向付勢されているため、スライドプレート２０は閉位置に安定した状態となっている。
【００７２】
この閉状態より、スライドプレート２０を更にＹ２方向に移動操作すると、相対的にローラ１００Ａ，１００Ｂは第１の谷部５５Ａ，５５Ｂから第２の山部５９Ａ，５９Ｂに向け移動する。この際も、プランジャー５０ＡはＸ２方向にスライドすると共にプランジャー５０ＢはＸ１方向にスライドする。
【００７３】
また、ローラ１００Ａ，１００Ｂが第２の山部５９Ａ，５９Ｂに至る前にＹ２方向に移動操作力を解除すると、ワイヤーばね７０Ａ，７０Ｂの弾性力によりプランジャー５０Ａ，５０Ｂは互いに外側に向けてスライドし、スライドプレート２０は閉位置に戻ってしまう。
【００７４】
図６（Ｄ）は、スライドプレート２０をＹ２方向に移動操作することにより、相対的にローラ１００Ａ，１００Ｂが第２の山部５９Ａ，５９Ｂ（頂点）まで移動した状態を示している。ローラ１００Ａ，１００Ｂがこの第２の山部５９Ａ，５９Ｂを越えてＹ１方向に移動すると、ワイヤーばね７０Ａ，７０Ｂの弾性復元力によりプランジャー５０Ａ，５０Ｂは互いに離間する方向へスライドする。これにより、ローラ１００Ａ，１００Ｂも相対的に第３の谷部５７Ａ，５７Ｂに向け移動し、これに伴いスライドプレート２０はベースプレート４０に対してＹ２方向に移動する。
【００７５】
図６（Ｅ）は、スライドプレート２０が第２の開位置に位置した状態を示している。この時、スライドプレート２０はワイヤーばね７０Ａ，７０Ｂ及びプランジャー５０Ａ，５０Ｂによりベースプレート４０に対してＹ１方向に付勢されている。しかしながら、折曲部４２Ａ，４２Ｂがスライドプレート２０に設けられたストッパナット９４Ａ，９４Ｂに当接することにより、スライドプレート２０のそれ以上のＹ１方向への移動が規制される。
【００７６】
尚、スライドプレート２０が第２の開位置から閉位置、閉位置から第１の開位置に移動するときのスライド機構１０の動作は、上記した動作の逆動作となるため、その説明は省略するものとする。
【００７７】
上記のように、本実施形態に係るスライド機構１０は、スライドプレート２０を閉位置を中心としてＹ１方向とこれと反対方向であるＹ２方向の二方向にスライドさせることができる。また、本実施形態に係るスライド機構１０を構成する各構成部品は、スライド方向に平行なスライドプレート２０の中心線（図１（Ａ）に矢印ＳＬで示す一点鎖線）に対して左右対称に配置されている。
【００７８】
従って、ベースプレート４０に対してスライドプレート２０をスライド付勢するのに２本のワイヤーばね７０Ａ，７０Ｂと２個のプランジャー５０Ａ，５０Ｂを用いている。このため、ベースプレート４０に設けられたローラ１００Ａ，１００Ｂに対して均等な付勢力が作用することとなり、スライド機構１０内に偶力が発生するようなことはない。よって、本実施形態に係るスライド機構１０によれば、ベースプレート４０に対してスライドプレート２０を安定した状態でスライド動作させることができる。
【００７９】
以上、本発明の好ましい実施形態について詳述したが、本発明は上記した特定の実施形態に限定されるものではなく、特許請求の範囲に記載された本発明の要旨の範囲内において、種々の変形・変更が可能なものである。
【００８０】
例えば、上記した実施形態では第１の谷部５５Ａ，５５Ｂを第１筐体２と第２筐体３とが重なり合う閉位置に設定したが、第２の谷部５６Ａ，５６Ｂを第１筐体２と第２筐体３とが重なり合う閉位置に設定に設定し、第１の谷部５５Ａ，５５Ｂを第１の開位置に設定し、第３の谷部５７Ａ，５７Ｂを第３の開位置に設定することも可能である。この構成とした場合には、第２筐体３を第１筐体２に対して同一方向に２段階に開くことが可能なスライド機構を実現することができる。
【符号の説明】
【００８１】
１  電子機器
２  第１筐体
３  第２筐体
４  キーボード
５  カソールキー
６  ファンクションキー
１０  スライド機構
２０  スライドプレート
２１  スライドプレート本体
３０Ａ，３０Ｂ  側縁部
４０  ベースプレート
４１  ベースプレート本体
４２Ａ，４２Ｂ  折曲部
４４Ａ，４４Ｂ  スライドガイド装着部
４７Ａ，４７Ｂ  端部
５０Ａ，５０Ｂ  プランジャー
５１Ａ，５１Ｂ  本体部
５４Ａ，５４Ｂ  カバー部
５５Ａ，５５Ｂ  第１の谷部
５６Ａ，５６Ｂ  第２の谷部
５７Ａ，５７Ｂ  第３の谷部
５８Ａ，５８Ｂ  第１の山部
５９Ａ，５９Ｂ  第２の山部
７０Ａ，７０Ｂ  ワイヤーばね
７３Ａ，７３Ｂ  山部
８０Ａ，８０Ｂ  ガイド板
８１Ａ，８１Ｂ  側縁部
９０Ａ，９０Ｂ，９１Ａ，９１Ｂ  プランジャーガイド
１００Ａ，１００Ａ  ローラー
１０１Ａ，１０１Ｂ  ローラー固定ピン
１０５Ａ，１０５Ｂ  スライドガイド
【図１】
2011146923.tif 000003
【図２】
2011146923.tif 000004
【図３】
2011146923.tif 000005
【図４】
2011146923.tif 000006
【図５】
2011146923.tif 000007
【図６】
2011146923.tif 000008